(57)【特許請求の範囲】
【請求項１】
１本又は一括りにした２本以上の容器に装着されるベースと、該ベースに連結部を介して揺動可能につながるとともに該ベースに覆い被さる蓋体とを備える蓋体付き容器において、
前記各容器は、内容物の充填空間につながる口部を有する容器本体と、該口部に取り付けられ密封栓の引きちぎりによって該充填空間につながる注出開孔を形成する注出ノズルとを有し、
該密封栓は、該注出ノズルを挟んで両側に張り出す一対の張出片を備え、
前記蓋体は、該注出ノズルを覆う頂壁を有し、該頂壁に、該密封栓を挟んで該連結部と反対側に該ベースに向けて伸延する内壁を設け、
該内壁は、該密封栓の一対の張出片に向けて突出し、該蓋体の開放変位にて該張出片の下端に係合して該密封栓を引きちぎる一対の横向き片を有する蓋体付き容器。
【請求項２】
前記一対の横向き片のうちの一方側は、前記張出片の下端に対する高さ方向の隙間が他方側よりも狭い請求項１に記載の蓋体付き容器。
【請求項３】
前記一対の横向き片のそれぞれは、その突出端に前記頂壁に向けて伸延し、引きちぎった密封栓を保持する縦向き片を備える請求項１又は２に記載の蓋体付き容器。
【請求項４】
前記一対の縦向き片のうちの一方側は、前記横向き片からの延在長さが他方側よりも長い請求項３に記載の蓋体付き容器。
【請求項５】
前記内壁は、前記密封栓と平行配置で設けられ、前記蓋体の開放変位にて該密封栓に押し当たって該密閉栓を前記連結部に向けて傾斜させる側面壁を有する請求項１〜４の何れかに記載の蓋体付き容器。
【請求項６】
前記容器を、前記連結部の揺動軸線に沿って複数本直列状に配列する請求項１〜５の何れかに記載の蓋体付き容器。
【発明の詳細な説明】
【技術分野】
【０００１】
本発明は、注出ノズルの先端に引きちぎり可能に設けられる密封栓を備える容器に関するものであり、密封栓の引きちぎり作業を手間無く簡単に、ばらつき無く行うことができる技術に関する。
【背景技術】
【０００２】
シャンプーやリンス、整髪剤、化粧料、調味料等を入れる容器としては、内容物を収納した容器本体の口部に密封栓を一体連結した注出ノズルを装着して、容器本体内の充填空間を密封し、使用開始時に密封栓を引きちぎることで、充填空間につながる注出開孔を形成するようにしたものが知られていて、このような密封栓に関するものとしては、例えば特許文献１に記載されているような、モギリ栓をノズル筒の先端に連設したノズルキャップがある。
【先行技術文献】
【特許文献】
【０００３】
【特許文献１】特開２００３−９５３０４号公報
【発明の概要】
【発明が解決しようとする課題】
【０００４】
ところで、上記のようなノズルキャップの開栓は、モギリ栓を指で直接掴んで上方に引き上げるようにして引きちぎることが一般的であり、引きちぎり加減（引き上げる方向や力の入れ具合）によっては、所期した通りに引きちぎることができず、引きちぎり跡に毛羽立ちや段差等が生じる懸念があった。また、種類の異なる内容物を使用直前に混ぜ合わせて使う商品に用いる場合には、容器毎にモギリ栓を引きちぎる面倒な作業が必要であり、これらの点に改善の余地が残されていた。
【０００５】
本発明の課題は、注出ノズルの先端に設けられる密封栓を、ばらつき無く引きちぎることができ、また複数の容器を開栓する必要がある場合にも、引きちぎり作業を手間無く簡単に行うことができる新たな容器を提案するところにある。
【課題を解決するための手段】
【０００６】
本発明は、１本又は一括りにした２本以上の容器に装着されるベースと、該ベースに連結部を介して揺動可能につながるとともに該ベースに覆い被さる蓋体とを備える蓋体付き容器において、
前記各容器は、内容物の充填空間につながる口部を有する容器本体と、該口部に取り付けられ密封栓の引きちぎりによって該充填空間につながる注出開孔を形成する注出ノズルとを有し、
該密封栓は、該注出ノズルを挟んで両側に張り出す一対の張出片を備え、
前記蓋体は、該注出ノズルを覆う頂壁を有し、該頂壁に、該密封栓を挟んで該連結部と反対側に該ベースに向けて伸延する内壁を設け、
該内壁は、該密封栓の一対の張出片に向けて突出し、該蓋体の開放変位にて該張出片の下端に係合して該密封栓を引きちぎる一対の横向き片を有する蓋体付き容器である。
【０００７】
前記一対の横向き片のうちの一方側は、前記張出片の下端に対する高さ方向の隙間が他方側よりも狭いことが好ましい。
【０００８】
前記一対の横向き片のそれぞれは、その突出端に前記頂壁に向けて伸延し、引きちぎった密封栓を保持する縦向き片を備えることが好ましい。
【０００９】
前記一対の縦向き片のうちの一方側は、前記横向き片からの延在長さが他方側よりも長いことが好ましい。
【００１０】
前記内壁は、前記密封栓と平行配置で設けられ、前記蓋体の開放変位にて該密封栓を前記連結部に向けて押し倒す側面壁を有することが好ましい。
【００１１】
前記容器を、前記連結部の揺動軸線に沿って複数本直列状に配列することが好ましい。
【発明の効果】
【００１２】
密封栓を備える注出ノズルを有する容器に、揺動可能な蓋体を備えるベースを装着し、密封栓に、揺動軸線に沿い注出ノズルを挟んで両側に張り出す一対の張出片を設け、蓋体の頂壁に形成した内壁に、密封栓の一対の張出片に向けて突出して蓋体の開放変位にて該張出片の下端に係合する一対の横向き片を設けたので、蓋体を開けるだけで、密封栓を引きちぎることができる。これにより、密封栓を直接掴む必要がなくなるので、引きちぎり作業のばらつきを抑えることができ、注出ノズルの先端に所期した通りに注出開孔を形成することができる。
【００１３】
一対の横向き片のうち、一方側の張出片の下端に対する高さ方向の隙間が、他方側よりも狭い場合は、密封栓を片側ずつ引きちぎることができるので、引きちぎりに要する力が減って、蓋体を開ける作業が容易となる。
【００１４】
一対の横向き片の突出端に、蓋体の頂壁に向けて伸延する縦向き片をそれぞれ設ける場合は、引きちぎられた密封栓をこの縦向き片で保持することができるので、引きちぎられた密封栓が意図しない場所に落下する不具合を抑えることができる。
【００１５】
密封栓を保持するに当たって、縦向き片における横向き片からの延在長さは、蓋体を開く際に横向き片の張出片下端への入り込みを妨げない程度まで長くすることが、密閉栓を確実に保持できる点で好ましい。そして、例えば、上述したように、一対の横向き片のうち、一方側の張出片の下端に対する高さ方向の隙間が、他方側よりも狭い場合には、隙間が狭い方の横向き片に連結する縦向き片の長さに合わせてもう一方の縦向き片の長さを定めるのではなく、このもう一方の縦向き片の長さは長くすることで、より確実に密封栓を保持することができる。
【００１６】
内壁に、密封栓と平行配置で設けられ、蓋体の開放変位にて密封栓に押し当たってこの密閉栓を連結部に向けて傾斜させる側面壁を設ける場合は、密閉栓を傾けることで注出ノズルと密封栓との連結部が破断しやすくなるので、密封栓をより引きちぎりやすくすることができる。
【００１７】
容器を、連結部の揺動軸線に沿って複数本直列状に配列する場合は、蓋体を開けると容器毎の密封栓を一度にまとめて引きちぎることができるので、引きちぎり作業の手間を大幅に省くことができる。
【図面の簡単な説明】
【００１８】
【図１】本発明に従う蓋体付き容器の第１の実施の形態につき、要部を示す斜視図である。
【図２】図１に示す蓋体付き容器の平面図である。
【図３】図２に示すＡ−Ａに沿う断面図である。
【図４】図３に示すＢ−Ｂに沿う断面図である。
【図５】図３に示す状態から蓋体を開放変位させて、側面壁が密封栓に当接した状態を示す断面図である。
【図６】図５に示す状態から蓋体をさらに開放変位させて、密封栓を引きちぎった状態を示す断面図である。
【図７】本発明に従う蓋体付き容器の第２の実施の形態につき、要部を示す斜視図である。
【図８】図７に示す蓋体付き容器の平面図である。
【図９】図８に示すＣ−Ｃに沿う断面図である。
【図１０】図８に示すＤ−Ｄに沿う断面図である。
【図１１】図９及び図１０に示すＥ−Ｅに沿う断面図である。
【図１２】図９に示す状態から蓋体を開放変位させて、密封栓の片側から引きちぎりが始まった状態を示す断面図である。
【図１３】図１０に示す状態から、蓋体を図１２と同角度に開放変位させた状態を示す断面図である。
【発明を実施するための形態】
【００１９】
以下、図面を参照して、本発明をより具体的に説明する。
図１は、本発明に従う蓋体付き容器の第１の実施の形態につき、要部を示す斜視図であり、図２は、図１に示す蓋体付き容器の平面図であり、図３は、図２に示すＡ−Ａに沿う断面図であり、図４は、図３に示すＢ−Ｂに沿う断面図であり、図５は、図３に示す状態から蓋体を開放変位させて、側面壁が密封栓に当接した状態を示す断面図であり、図６は、図５に示す状態から蓋体をさらに開放変位させて、密封栓を引きちぎった状態を示す断面図である。
【００２０】
図１において、符号１は容器である。容器１は、その内側に内容物を収納する容器本体１０と、容器本体１０の内容物を注出する注出ノズル２０とからなる。また、符号３０はベースであり、符号４０は蓋体であり、符号５０は蓋体４０を揺動可能にベース３０につなぐ連結部（図示の例ではヒンジ）である。図示の例では、平面視にて半円状となる２本の容器１を連結して一括りにして、これらの容器１の上部に、円筒形状のベース３０を装着している。なお、容器１は、１本でもまた３本以上であってもよい。
【００２１】
容器本体１０は、図３に示すように、その内側に内容物を収納する充填空間Ｍを備えている。また、その上方には、充填空間Ｍにつながるとともに円筒状となる口部１１を備えている。口部１１の外周面には、その根元側に少なくとも１本の外側縦リブ１２を設け、またその先端側に外側凸部１３を設けている。
【００２２】
注出ノズル２０は、口部１１を取り囲む周壁２１と、周壁２１の上端と連結する円環状の天壁２２と、天壁２２の半径方向内側端縁と連結し縮径しながら起立するテーパ壁２３と、テーパ壁２３の先端部に弱化部２４を介して一体連結する密封栓２５とを備えている。また、天壁２２の下面には、口部１１の内周面と液密に当接する円筒状のシール壁２６を設けている。そして、周壁２１の内周面には、外側縦リブ１２と連係して注出ノズル２０の周方向の位置決めとなる内側縦リブ２７と、外側凸部１３に係合して注出ノズル２０を抜け出し不能に保持する内側凸部２８とを備えている。
【００２３】
ここで、密封栓２５は、図２に示すように、連結部５０が揺動する際の中心軸となる揺動軸線ｓに沿って延在するものであり、図４に示すように、注出ノズル２０のテーパ壁２３を挟んで密封栓２５の両側には、外側に向けて張り出す一対の張出片２５ａを備えている。
【００２４】
ベース３０は、図３及び図４に示すように、注出ノズル２０の周壁２１を取り囲む円筒状の内側周壁３１（図示の例では、２つの注出ノズル２０に併せて２つの内側周壁３１を設けている。）と、内側周壁３１の上端に連結する円板状のベース天壁３２と、ベース天壁３２の外周側縁部から垂下され、２本の容器１を一括して取り囲む円筒状の外側周壁３３とを備えている。内側周壁３１の下端には、周壁２１の下端に係合する爪部３４を設けていて、ベース３０は、抜け出し不能に保持されている。また、ベース天壁３２には、注出ノズル２０を突出させる開口３５を設けている。
【００２５】
蓋体４０は、図３及び図４に示すように、注出ノズル２０の上部を覆う円板状の頂壁４１と、頂壁４１の外周縁と一体連結する円筒状の外壁４２とを備えていて、外壁４２は、ベース３０の外側周壁３３と連結部５０を介して揺動可能に保持されている。また、外壁４２は、連結部５０と反対側に摘み片Ｔを備えている。
【００２６】
また、頂壁４１は、図３に示すように、密封栓２５を挟んで連結部５０と反対側に、ベース３０のベース天壁３２に向けて伸延する内壁４３を備えている。また、内壁４３は、図２に示す揺動軸線ｓに沿って設けられていて、その連結部５０側の面は、密封栓２５と平行配置となる側面壁４３ａとなっている。そして内壁４３において、注出ノズル２０のテーパ壁２３に対向する部分は、下向き開放の切り欠きＫが設けられていて、蓋体４０の揺動時にテーパ壁２３との干渉を防止している。また、内壁４３は、連結部５０と反対側の面に補強リブ４４を備えている。
【００２７】
さらに、内壁４３は、密封栓２５の両側に設けた一対の張出片２５ａに対し、図３に示すように、この張出片２５ａの下端よりも下方側に位置する部位から、張出片２５ａに向けて突出する一対の横向き片４５を備えている。そして、横向き片４５の突出端（横向き片４５が内壁４３と連結する端部とは反対側に位置する端部）には、頂壁４１に向けて伸延する縦向き片４６（図示の例で縦向き片４６は、連結部５０を設けた側に傾斜しながら頂壁４１に向けて伸延する）を一体連結している。ここで、本発明に従う第１の実施の形態では、横向き片４５と張出片２５ａの下端との高さ方向の隙間Ｈ、及び縦向き片４６の横向き片４５からの延在長さＬは、対となる横向き片４５及び縦向き片４６のそれぞれで同一となっている。
【００２８】
上記のような構成となる蓋体付き容器において、縦向き片４６は、図３に示すように、密封栓２５に対して半径方向外側にずれた位置に設けられている。このため、ベース３０を容器本体１０に装着するに当たっては、装着前に蓋体４０を閉鎖した状態にしてから行うことが好ましく、これにより、容器本体１０の軸線（図３のＢ−Ｂに沿う線）に沿ってベース３０を相対移動させる際に、縦向き片４６が密封栓２５に当たることがないので、弱化部２４を破損させて不用意に開栓させてしまうおそれがなくなる。
【００２９】
そして、図５に示すように蓋体４０を開放変位すると、内壁４３の側面壁４３ａが密封栓２５に当たり、密封栓２５を連結部５０に向けて押し倒す。これにより密封栓２５を引きちぎりやすくすることができる。
【００３０】
さらに蓋体４０の開放変位を継続すると、横向き片４５が張出片２５ａの下端に当接し、蓋体４０の揺動に併せて張出片２５ａが持ち上げられるので、図６に示すように、密封栓２５を引きちぎって注出開孔ｈを形成することができる。引きちぎられた密封栓２５は、側面壁４３ａ、横向き片４５、縦向き片４６で保持されるので、不用意に落下してしまうおそれを極力抑えることができる。
【００３１】
次に、本発明の第２の実施の形態を、図面を参照して説明する。なお、第１の実施の形態で説明したものと同一の機能を果たすものについては、同一の符号を付して説明は省略する。
【００３２】
図７は、本発明に従う蓋体付き容器の第２の実施の形態につき、要部を示す斜視図であり、図８は、図７に示す蓋体付き容器の平面図であり、図９は、図８に示すＣ−Ｃに沿う断面図であり、図１０は、図８に示すＤ−Ｄに沿う断面図であり、図１１は、図９及び図１０に示すＥ−Ｅに沿う断面図であり、図１２は、図９に示す状態から蓋体を開放変位させて、密封栓の片側から引きちぎりが始まった状態を示す断面図であり、図１３は、図１０に示す状態から、蓋体を図１２と同角度に開放変位させた状態を示す断面図である。
【００３３】
第１の実施の形態における一対の横向き片４５に関し、第２の実施の形態においては、一方側の横向き片４５ａは他方側の横向き片４５ｂよりも、頂壁４１に近づけて設けられている。すなわち、図９及び図１０に示すように、張出片２５ａの下端に対して、横向き片４５ａの高さ方向の隙間Ｈａは、他方側の横向き片４５ｂの高さ方向の隙間Ｈｂに対して狭くなっている。
【００３４】
一方、第１の実施の形態における横向き片４５に関し、第２の実施の形態においては、横向き片４５ａに縦向き片４６ａを連結させ、横向き片４５ｂに縦向き片４６ｂを連結させていて、縦向き片４６ａの横向き片４５ａからの延在長さＬａに対し、縦向き片４６ｂの横向き片４５ｂからの延在長さＬｂが長くなっている。
【００３５】
上記のような構成となる第２の実施の形態の蓋体付き容器において、蓋体４０を開放変位させると、上述した第１の実施の形態と同様に、内壁４３の側面壁４３ａが密封栓２５に当たり、密封栓２５を連結部５０に向けて押し倒す。これにより密封栓２５を引きちぎりやすくすることができる。
【００３６】
さらに蓋体４０の開放変位を継続すると、まず横向き片４５ａが張出片２５ａの下端に当接し、蓋体４０の揺動に併せて片側の張出片２５ａを持ち上げて、図１２に示すように、密封栓２５の片側から引きちぎりが始まる。これにより、密封栓２５を両側同時に引きちぎる場合に対して、引きちぎりに要する力を減らすことができる。一方、この時点で横向き片４５ｂは、図１３に示すように張出片２５ａの下端には届いていないものの、蓋体４０の開放変位を続けると、張出片２５ａの下端に当接して、密封栓２５を完全に引きちぎることができる。そして、引きちぎられた密封栓２５は、側面壁４３ａ、横向き片４５ａ、４５ｂ、縦向き片４６ａ、４６ｂで保持することができる。なお、第２の実施の形態において、縦向き片４６ｂの延在長さＬｂは、蓋体４０の開放変位に際して横向き片４５ａの張出片２５ａへの入り込みを妨げない程度まで長くなっているので、引きちぎられた密封栓２５をより確実に保持することができる。
【００３７】
なお、上述した２つの実施の形態は、蓋体４０に、一旦開封した注出ノズル２０を閉栓する機能を持たせていないため、容器本体１０は、使い切りタイプとすることが好ましいが、ベース３０、蓋体４０及び連結部５０にて一体となる部材は、新たな容器本体１０に付け替えて繰り返し使用することができる。
【産業上の利用可能性】
【００３８】
本発明によれば、注出ノズルの先端に設けられる密封栓を、簡単にばらつき無く引きちぎることができ、しかも複数の容器を開栓する必要がある場合にも、一度に全てを引きちぎることができるので、引きちぎり作業にかかる手間を大きく削減することができる蓋体付き容器を提供できる。
【符号の説明】
【００３９】
１  容器
１０  容器本体
１１  口部
２０  注出ノズル
２５  密封栓
２５ａ  張出片
３０  ベース
３２  ベース天壁
４０  蓋体
４１  頂壁
４３  内壁
４３ａ  側面壁
４５  横向き片
４５ａ  横向き片
４５ｂ  横向き片
４６  縦向き片
４６ａ  縦向き片
４６ｂ  縦向き片
５０  連結部
ｈ    注出開孔
Ｍ    充填空間
ｓ    揺動軸線
【図１】
0005806146.tif 000002
【図２】
0005806146.tif 000003
【図３】
0005806146.tif 000004
【図４】
0005806146.tif 000005
【図５】
0005806146.tif 000006
【図６】
0005806146.tif 000007
【図７】
0005806146.tif 000008
【図８】
0005806146.tif 000009
【図９】
0005806146.tif 000010
【図１０】
0005806146.tif 000011
【図１１】
0005806146.tif 000012
【図１２】
0005806146.tif 000013
【図１３】
0005806146.tif 000014